(57)【要約】【課題】アラーム発生時に関連する複数のプロセス値の動向を迅速に確認することを可能にするプラント監視装置および監視方法を提供する。【解決手段】トレンドグラフとイベント一覧を使用してプラントの運転状態を監視するプラント監視装置において、イベント一覧から選択した任意のイベントの発生日時を記憶するイベント処理部６と、イベント処理部６で記憶されたイベント発生日時を時間軸の中心として表示手段５にトレンドグラフを出力するトレンド処理部７を有するプラント監視装置。【選択図】図１
2019102037.tif 000002
【特許請求の範囲】
【請求項１】
表示手段に表示されるトレンドグラフとイベント一覧を使用してプラントの運転状態を監視するプラント監視装置において、
前記表示手段に表示されたイベント一覧から選択した任意のイベントの発生日時を記憶するイベント処理部と、
前記イベント処理部で記憶されたイベント発生日時を時間軸の中心として前記表示手段にトレンドグラフを出力するトレンド処理部とを有するプラント監視装置。
【請求項２】
請求項１に記載のプラント監視装置において、
前記表示手段に表示されたトレンドグラフのグラフ上の任意の箇所を選択し関連するコメントを入力手段より入力し、前記選択したグラフ上の任意の箇所に対応する日時および前記コメントを保存し、前記入力手段より入力されたキーワードをもとに前記保存されたコメントの中からキーワード検索により合致するコメントを抽出し、前記抽出されたコメントに対応する日時を前記イベント処理部に記憶させるトレンドコメント処理部とを有するプラント監視装置。
【請求項３】
表示手段に表示されるトレンドグラフとイベント一覧を使用してプラントの運転状態を監視するプラント監視装置において、
前記表示手段に表示されたイベント一覧から選択した任意のアラームの発生日時を記憶し、前記記憶されたイベント発生日時を時間軸の中心として前記表示手段にトレンドグラフを出力するプラント監視方法。
【請求項４】
請求項３に記載のプラント監視方法において、
前記表示手段に表示されたトレンドグラフのグラフ上の任意の箇所を選択し関連するコメントを入力手段より入力し、前記選択したグラフ上の任意の箇所に対応する日時および前記コメントを保存し、前記入力手段より入力されたキーワードをもとに前記保存されたコメントの中からキーワード検索により合致するコメントを抽出し、
前記抽出されたコメントに対応する日時を前記イベント処理部に記憶させるプラント監視方法。
【発明の詳細な説明】
【技術分野】
【０００１】  本発明の実施形態は、プラントの監視装置および監視方法に係わり、特にトレンドデータの把握を迅速に行うことができ、プラント監視を容易にするプラント監視装置およびプラント監視方法に関する。
【背景技術】
【０００２】  上下水道プラントや原子力発電プラントなどの大規模で公共性の高いプラントを監視制御する装置においては、プラントの維持運用管理は万全の体制で行われているが、何らかの要因で異常事態が発生した場合には全部又は一部の機能が停止し、ライフラインである飲料水や電力の安定供給に支障をきたすことが懸念される。【０００３】  このようなプラントの監視制御装置では、プラントから出力された各状態信号などに基づき、トレンドデータ、操作履歴データを更新しながら、トレンドグラフ画面、操作履歴データ画面、アラーム履歴データ画面などのうち、指定された画面をＣＲＴ装置などの表示手段に表示させるとともに、各状態信号を解析して、予め設定されている警報条件が成立するかどうかを判定し、警報条件が成立するとき、アラームデータを生成して、アラーム履歴データを更新しながら、ＣＲＴ装置から警報音を出力し、プラントで何らかの異常が発生したことを知らせる（例えば、特許文献１参照）。
【先行技術文献】
【特許文献】
【０００４】
【特許文献１】特開２００１−１４０２５号公報
【発明の概要】
【発明が解決しようとする課題】
【０００５】  様々に発生するアラームやポンプ、バルブ等の現場機器の操作履歴などは、トレンドグラフ画面、操作履歴データ画面、アラーム履歴データ画面などにより確認することができるが、その確認すべき量が膨大になると目的の画面に辿り着くのに時間が掛かかるため、有事の際に迅速な対応が求められるプラントの運転に支障を来たすことになる。アラームが発生した時点で複数のプロセス値情報を確認しプラントがどのような状況になっているのかを迅速に把握することが望まれる。【０００６】  従来の技術によれば、アラーム履歴データ画面から任意に選択したアラームの発生日時に対応するトレンドグラフ画面に展開する技術が提案されており、アラームが発生した時点でのプラントの状況の把握を容易にしている。【０００７】  しかしながら、プラント監視においては、アラーム発生に直接起因した信号のみならず、関連する他の情報や影響、変化具合を確認する必要があり、複数のトレンドグラフを用いてプロセス値を確認する必要があるが、アラーム履歴データ画面からの展開ではなくメニュー画面から展開した場合はトレンドグラフの表示は現在日時のものになっているため、希望する日時を毎回設定する必要が生じ、非効率でオペレータに負担が掛かるという問題がある。【０００８】  本実施形態は、上記のような従来技術の問題点を解決するために提案されたものであり、本実施形態の目的は、アラーム発生時に関連する複数のプロセス値の動向を迅速に確認することを可能にし、プラントの異常事態収拾に向けた情報分析を支援するプラント監視装置および監視方法を提供することにある。
【課題を解決するための手段】
【０００９】  上記目的を達成するため、請求項１記載の発明は、表示手段に表示されるトレンドグラフとイベント一覧を使用してプラントの運転状態を監視するプラント監視装置において、前記表示手段に表示されたイベント一覧から選択した任意のイベントの発生日時を記憶するイベント処理部と、前記イベント処理部で記憶されたイベント発生日時を時間軸の中心として前記表示手段にトレンドグラフを出力するトレンド処理部とを有することを要旨とする。【００１０】  上記目的を達成するため、請求項２記載の発明は、請求項１に記載のプラント監視装置において、前記表示手段に表示されたトレンドグラフのグラフ上の任意の箇所を選択し関連するコメントを入力手段より入力し、前記選択したグラフ上の任意の箇所に対応する日時および前記コメントを保存し、前記入力手段より入力されたキーワードをもとに前記保存されたコメントの中からキーワード検索により合致するコメントを抽出し、前記抽出されたコメントに対応する日時を前記イベント処理部に記憶させるトレンドコメント処理部とを有することを要旨とする。【００１１】  上記目的を達成するため、請求項３記載の発明は、表示手段に表示されるトレンドグラフとイベント一覧を使用してプラントの運転状態を監視するプラント監視装置において、前記表示手段に表示されたイベント一覧から選択した任意のアラームの発生日時を記憶し、前記記憶されたイベント発生日時を時間軸の中心として前記表示手段にトレンドグラフを出力することを要旨とする。【００１２】  上記目的を達成するため、請求項４記載の発明は、請求項３に記載のプラント監視方法において、前記表示手段に表示されたトレンドグラフのグラフ上の任意の箇所を選択し関連するコメントを入力手段より入力し、前記選択したグラフ上の任意の箇所に対応する日時および前記コメントを保存し、前記入力手段より入力されたキーワードをもとに前記保存されたコメントの中からキーワード検索により合致するコメントを抽出し、前記抽出されたコメントに対応する日時を前記イベント処理部に記憶させることを要旨とする。
【図面の簡単な説明】
【００１３】
【図１】本発明の第１の実施形態を示すブロック図。
【図２】本発明の第２の実施形態を示すブロック図。
【図３】本発明の第１、第２の実施形態におけるトレンドグラフ画面の一例を示す図。
【図４】本発明の第２の実施形態におけるトレンドグラフ画面の一例を示す図。
【発明を実施するための形態】
【００１４】（第１の実施形態）
以下、本発明に係る第１の実施形態について図１を参照して説明する。図１は本発明の第１の実施形態を示すブロック図である。
【００１５】  プラント機器１は、温度や流量などを測定するセンサや、ポンプ、バルブなどのアクチュエータを示す。プラント機器制御手段２は、プラント機器１のセンサからの情報を入力し、プラント機器１のアクチュエータに対して運転／停止や開／閉の指令を与える。プラント機器１からの各種データに基づき、予め登録されている監視制御プログラムを起動させて制御信号を生成し、監視、制御対象となるプラント機器１を制御し、プラントの運転をコントロールする。プラント機器制御手段２は、例えばＰＬＣ（Ｐｒｏｇｒａｍｍａｂｌｅ  Ｌｏｇｉｃ  Ｃｏｎｔｒｏｌｌｅｒ）を使うことによって実現することができ、プラント機器１との信号のやり取りは、ＤＣ４〜２０ｍＡ電流信号やＤＣ１〜５Ｖ電圧信号といった電気信号によるものやＲＳ−４８５などのシリアルインターフェースといった通信信号などが使用できる。
【００１６】  情報処理手段３は、例えば、通常のコンピュータで、ＣＰＵ、メモリ、ディスク（不揮発メモリ）、インターフェース、等より成り、キーボードやマウス等の入力手段４やＣＲＴ装置や液晶モニタなどの表示装置５と接続されている。また情報処理手段３は、Ｅｔｈｅｒｎｅｔ（登録商標）等のデータ通信方式によりプラント機器制御手段２と接続され、プラント機器１のセンサからのプロセス値を取り込み表示装置５に表示し、入力手段４から入力した指令をプラント機器１のアクチュエータに与え、動作させることができる。
【００１７】  また、情報処理手段３は、プラント機器１からのプロセス値を解析して予め設定されているアラーム条件が満たされているかどうかを判定し、アラーム条件が満たされているとき、アラームデータを生成するとともに、表示装置５にアラーム発生を知らせるウィンドウ表示やアラーム音を出力する。
【００１８】  また、情報処理手段３は、操作履歴データやアラーム履歴データ等のイベントを、それぞれのデータの発生日時と紐付けてイベント一覧として管理、保存し、イベント一覧画面として表示装置５に表示する。
【００１９】  また、情報処理手段３は、監視、制御対象となるプラント機器１から出力された各プロセス値に基づいてトレンドデータを保存、更新するトレンド管理機能を備えており、トレンドグラフとして表示装置５に表示し、時間とともに変化するプロセス値の状態を確認することができる。
【００２０】  情報処理手段３は、さらに、イベント処理部６とトレンド処理部７を有している。イベント処理部６は、表示装置５に表示されたイベント一覧から、例えば詳細を確認したいイベントを任意に選択した場合に、このイベントの発生日時を記憶する。トレンド処理部７は、イベント処理部６に記憶された日時をトレンドグラフ画面の時間軸の中心に位置するように、図３に示すように、表示手段５にトレンドグラフ画面を表示する。このとき、他のどのプロセス値についてのトレンドグラフもイベント処理部６で記憶された日時をトレンドグラフの時間軸の中心に位置するように表示するため、イベントが発生した前後でプラントがどのような状態だったか、プロセス値がどのような挙動を示していたかなどを、複数のプロセス値について、いちいち日時を設定することなく、確認することができる。指定した日時をトレンドグラフ画面の時間軸の中心に位置するようにするのは、イベント発生日時の前後でプラントの挙動がどうなっているかを確認し易くするためである。
【００２１】  これにより、本実施形態のプラント監視制御装置において、指定した表示したい日時と周期を固定して、画面推移を行っても関連する他のプロセス値のトレンドグラフ表示が同一時刻、同一周期で表示されることで、異常事態のプロセス値の動向と過去のプロセス値の動向を迅速に比較することを可能にし、プラント異常事態の収拾と拡大を未然に防ぐことができる。
【００２２】  なお、イベント処理部６に記憶された日時のリセットは、予めメニュー画面等にリセットボタンを設けておき、入力手段４からリセットするようにすれば良い。
【００２３】（第２の実施形態）
次に、本発明に係る第２の実施形態について図２を参照して説明する。
【００２４】  第２の実施形態において、第１の実施形態と異なる点は、情報処理手段３にトレンドコメント処理部８を備えていることである。プラント監視においては、トレンドグラフを確認した際に何かメモとなるコメントを残しておきたいという要求があり、例えば、異常な運転状態が発生した際にその特徴を示すトレンドグラフにコメントを残しておき、再度、同様の異常状態になったときに、メモに残したコメントを検索することで前回発生した際に確認したトレンドグラフを素早く発見でき、迅速な対応処置を行うことができる。これを実現するため、トレンドコメント処理部８は、表示手段５に表示されたトレンドグラフのグラフ上の任意の箇所を選択し関連するコメントを入力手段４より入力し、コメントおよび選択したグラフ上の任意の箇所に対応する日時を保存する。グラフ上の任意の箇所を選択してコメントを残した状態を図４に示す。そして、入力手段４より入力されたキーワードをもとに保存されたコメントの中からキーワード検索により合致するコメントを抽出し、そのコメントとセットで保存されている日時をイベント処理部６に記憶させる。以降は第１の実施形態と同様で、トレンド処理部７が、イベント処理部６に記憶された日時をトレンドグラフ画面の時間軸の中心に位置するように、図３に示すように、表示手段５にトレンドグラフ画面を表示させる。
【００２５】  これにより、例えば、異常な運転状態が発生した際にその特徴を示すトレンドグラフにコメントを残しておき、再度、同様の異常状態になったときに、メモに残したコメントを検索することで前回発生した際に確認したトレンドグラフを素早く発見することで、迅速な対応処置を行うことができる。
【００２６】  以上、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００２７】１・・・プラント機器
２・・・プラント機器制御手段
３・・・情報処理手段
４・・・入力手段
５・・・表示手段
６・・・イベント処理部
７・・・トレンド処理部
８・・・トレンドコメント処理部
【図１】
2019102037.tif 000003
【図２】
2019102037.tif 000004
【図３】
2019102037.tif 000005
【図４】
2019102037.tif 000006